(57)【特許請求の範囲】
【請求項１】
ベースフレーム、駆動機構付き回転子、加圧ローラユニット及びハウジングを有する特に錠剤を調製するためのロータリープレスにおいて、前記駆動機構を有する回転子及び前記加圧ローラユニットを収容する強固なベースプレートが、弾性マウントを用いて前記ベースフレーム上に取付けられていることを特徴とするロータリープレス。
【請求項２】
ベースフレーム、駆動機構付き回転子、加圧ローラユニット及びハウジングを有する特に錠剤を調製するためのロータリープレスにおいて、前記駆動機構を有する回転子及び前記加圧ローラユニットを収容する強固なベースプレートが、弾性マウントを用いて前記ベースフレーム上に取付けられており、ここで前記弾性マウントの剛性及び、うち少なくとも１つが存在している前記駆動機構付き回転子及び前記加圧ローラユニットから成るアセンブリユニットの質量は、６つの考えられる自由度全てにおいてこの振動システムの固有周波数が、励起周波数である最低の回転速度で発生する最低のパンチ係合周波数よりも低くなるような形で、互いに調和が図られていることを特徴とするロータリープレス。
【請求項３】
前記駆動機構付き回転子及び前記加圧ローラユニットを収容する前記ハウジングが前記ベースフレーム上に取りつけられていることを特徴とする請求項１又は２に記載のロータリープレス。
【請求項４】
前記弾性マウントが金属付着ゴムとして設計されていることを特徴とする請求項１又は２に記載のロータリープレス。
【請求項５】
前記ハウジングが、１つの隔壁を用いて、基本的に前記回転子及び前記加圧ローラユニットを収納するクリーンルームエリア、そして前記ベースフレーム内に位置づけされた供給エリア及び、駆動モータ（４）及び歯付きベルト駆動機構（１３，１６，１７，１８）といったようなメンテナンスに適した駆動及び供給用コンポーネントを収納し外部からアクセス可能である多機能カラム（５１）へと分割されていることを特徴とする請求項１又は２に記載のロータリープレス。
【請求項６】
供給エリアが少なくとも部分的に、建物の部屋の中の開口部を通って建物の隣接するメンテナンスルームの中へと延びている、清浄度に関して特殊な必要条件の課せられた建物の部屋の中に配置することができることを特徴とする請求項５に記載のロータリープレス。
【発明の詳細な説明】
【０００１】
【発明の属する技術分野】
本発明は、ベースフレーム、駆動機構付き回転子、少なくとも１つの加圧ローラユニット及びハウジングを伴う、特に錠剤を調製するためのロータリープレスに関する。
【０００２】
フレーム、駆動機構を伴う回転子、上部及び下部加圧ローラを案内する上部及び下部ロッカー、フレームハウジング、コーナー連結部分及びカバープレートを含むロータリープレスが知られてきた。プレス工程中に発生する力はパンチ及びロッカーを介して直接カバープレート及びフレーム内に導入され、圧縮力に起因するこれらの膜様コンポーネント内の振動を誘発し、これらの振動はかくして多大な騒音発出を導く。
【０００３】
このクラスのロータリープレスは、米国特許第３８９１３７５号により知られてきた。ベースフレームはここでは、矩形フレームから成り、その上部フレームプレート上に回転子が取付けられている。ハウジングは、フレームにボルト締めされ回転子より上に制御ユニットを支持する梁を含んで成る。加圧ローラユニットは、フレーム様の設計をもち、フレームにボルト締めされた側方梁において取付けられている。
【０００４】
その欠点は、２つの加圧ローラユニットの圧縮力が、ハウジングを形成する梁によって吸収され、その結果としてハウジングの変形ひいてはその振動及び騒音が高負荷の下で生成されるという点にある。
【０００５】
【発明が解決しようとする課題】
従って本発明の基本的目的は、加圧ローラ内に導入される力の吸収を改善しロータリープレスが低い振動及び騒音レベルで作動するような形でこのクラスのロータリープレスを改善することにある。
【０００６】
【課題を解決するための手段】
この目的を達成するため、本発明は、弾性マウントを用いてベースフレームによって支援されている駆動機構を伴う回転子を収容する強固にして高い剛性とねじり強度をもつベースプレートを提供している。
そしてまた、本発明は、ここでこれらの弾性マウントの剛性及びこの完全なプレスセルの質量は、この振動システムの固有周波数が、励起周波数である最低の回転速度で発生する最低のパンチ係合周波数よりも考えられる６つの自由度全てにおいて著しく低くなるような形で、互いに調和がとられている。
その結果、完全なプレスセルは、プレス工程中、臨界を超過して励起される。加圧ローラーから加圧ローラユニットに対し作用する動的力、及びモーメント及び回転子駆動機構の動的力、及びモーメントはかくして、ほぼ排他的に、弾性マウントを用いてベースフレーム上に取付けられている強固なベースプレートによって吸収される。プレス工程からの動的力は、ベースプレート上に配置されていないロータリープレスのコンポーネントに対してはほとんど作用しない。かくして錠剤形成用プレスは低い振動及び騒音レベルで作動し、しかも強い圧縮力を伝達することができる。
【０００７】
駆動機構付き回転子、加圧ローラユニット、強固なベースプレート及びベースフレームをとり囲むハウジングは、排他的なベースフレームに連結され、より小さい弾性マウントによってベースプレートに対し支持されており、ここで、弾性マウントの剛性は、弾性マウントの質量及び剛性を結び付けた結果として得られる固有周波数が最低のパンチ係合周波数よりも著しく低くなるような形で選択される。かくして、駆動機構付き回転子及び加圧ローラユニットといったような、圧縮力によって振動すべく励起された部品からハウジングに対し何らかの振動ひいては何らかの騒音が伝達されることはほとんど無い。
【０００８】
ハウジングは、プレスの上部ヘッド部分を収容するその一部分がプレスの高さ全体にわたり延び１つの垂直方向側面上でプレスを制限するような形で設計されている。
【０００９】
このハウジングセグメントは、好ましくは、主電気駆動機構、到着及び退出する接続ライン、供給ユニット及び機械の供給ラインを受入れるために用いられる。ロータリープレスのこの供給側を、１つの壁が、プレスセルのクリーンルーム側から分離している。
【００１０】
弾性マウントは好ましくは、２つの金属取りつけ要素及びこれを連結する１つの弾性バッファとして設計されている。このような弾性マウントは、コンチネンタル社（Ｃｏｎｔｉｎｅｎｔａｌ）からシュウィングメタル（ＳＣＨＷＩＮＧＭＥＴＡＬＬ）という商標で市販されている。
【００１１】
本発明について、以下では、図面に表わしたロータリー式錠剤製造プレスの実施例に基づいて、より詳細に説明することにする。
【００１２】
【発明の実施の形態】
ロータリープレスは、強固な高い剛性とねじり強度のあるベースプレート１，その上に取付けられた回転子２，加圧ローラユニット３，及び駆動モータ４，ならびに、弾性脚部５上に立ちその上には弾性マウント７を用いて強固なベースプレート１が取付けられているベースフレーム６，そして、これらのコンポーネントをとり囲みより小さい弾性マウント９を用いてベースフレーム６に連結されているハウジング８を含んで成る。
【００１３】
図２に示されているように、軸受ブシュ１１が、ここでは示されていない回転子２の車軸１２のための強固なベースプレート１上に配置されている。回転子２の車軸１２はベースプレート１の下側面上に歯つきベルト車１３を支持している。上部及び下部加圧ローラ１４，１５を備えた加圧ローラユニット３は、回転子２のための軸受ブシュ１１の隣りに調整可能な形で取付けられている。その隣りには、下側に歯付きベルトピニオン１６を伴った状態で強固なベースプレート１に締付けられた駆動モータ４が位置づけられており、ここで、回転子２のための歯付きベルト車及び歯付きベルトピニオン１６のまわりに、歯付きベルト１７が置かれ締付け用ディスク１８によって締付けられている。
【００１４】
図１に示されたベースフレーム６の上では、４つの弾性マウント７が強固に構成したベースプレート１を支持している。弾性マウント７は、２つの金属取付け要素１９，２０及びこれを連結する弾性バッファ２１で形成されている。弾性マウント７は、コンチネンタル社からシュイングメタル（ＳＣＨＷＩＮＧＭＥＴＡＬＬ）という商標で市販されている。
【００１５】
図３は、歯付きベルト車１３が回転子２を駆動し、歯付きベルトピニオン１６が駆動モータ４により駆動され、締付け用ディスク１８が歯付きベルト１７を締付けている状態で、４つの弾性マウント７を伴う強固なた剛性でねじり強度をもつベースプレート１の底面図を示す。図４に基づいて以下でさらに詳述する各々加圧ローラユニット３を受入れ取付けるために用いられる細長い穴２３が、ベースプレート１の長手方向軸２２に対して約３５°の角度で延びている。
【００１６】
ロータリープレスの加圧ローラユニット３は、円筒形断面をもつ強固な案内カラム１０を含んで成り、その円筒形の内部空間２６の中には、同様に円筒形で中空の上部加圧ローラマウント２４及び円筒形で内部が中空の下部加圧ローラマウント２５が滑動可能な形で取付けられており、ここで上部及び下部加圧ローラマウント２４，２５は同様に強固な安定した設計を有している。上部加圧ローラ１４のための調整用駆動機構２７が案内カラム１０の上部部域内に配置され、下部加圧ローラ１５用の調整用駆動機構２８が案内カラム１０の中央部域内に配置されている。上部調整用駆動機構２７は、上部加圧ローラ１４ひいてはそれによって作用が及ぼされる上部パンチ３０の貫入深さをセットするため、及び固定した距離を伴っての上部及び下部加圧ローラ１４及び１５のそれぞれの合同のすなわち並行した調整のため、ひいては加圧ゾーンを調整するために用いられる。下部加圧ローラ１５のための調整用駆動機構２８は、上部加圧ローラ１４との関係における錠剤の厚みをセットするために用いられる。
【００１７】
２つの調整用駆動機構２７，２８は、加圧ローラマウント２４，２５にしっかりと連結されたスピンドルナット３４と係合する駆動機構３３を各々備えた歯車モータ３２を含んで成る。その結果、上部加圧ローラマウント２４を、上部加圧ローラ１４のための加圧ローラ車軸２９と共に調整可能な形で移動させることができ、又、案内カラム１０内で下部加圧ローラ１５のための加圧ローラ車軸２９と共に調整可能な形で下部加圧ローラマウント２５を移動させることが可能である。
【００１８】
加圧ローラユニット３は、強固なベースプレート１上にその案内カラム１０と共に垂直に取付けられており、水平方向に作動する調整用駆動機構３５を用いて移動可能である。円周上に分布した３つのリングセグメント４６を用いて案内カラム１０の下端部の中に、円錐台形の取付け用フランジ３６が固定されている。取付け用フランジ３６内の案内カラム１０の中央軸の中に１本のタイロッド３７がネジ込まれており、このタイロッド３７は、円錐台形の取付け用フランジ３６の下端部で突出部分３８の中を通過しており、この〔突出部分〕は、強固なベースプレート１の中に具備されている細長い穴２３の中を移動可能である。タイロッド３７は、ロッド３７のＴ字形ヘッドによりドーム形部品４１を用いて保持されているストップリング４０の中でくさび３９によりベースプレート１の下に貫入させられている。
くさび３９は、ベースプレート１の中に固定された垂直ボルト４７の中で自由端部にて回転可能な形でかつ水平方向に移動できない形で位置設定されているネジ込みスピンドル４２を用いて、緩めたり締めたりすることができる。ロックするためには、取付け用フランジ３６の突出部分３８及びストップリング４０が細長い穴２３の左側端部と接触するまで、ネジ込みスピンドル４２がスピンドルヘッド４３において回転させられる。このときスピンドル４２は先端部４５を、圧縮ネジ４４の作用下でタイロッド３７に対し押し付ける。さらに、くさび３９は、案内カラム１０がタイロッド３７を用いてロータリー式錠剤製造プレスのベースプレート１の上部側面上にしっかりと収まった状態となるような形で、左へと移動させられる。
【００１９】
加圧ローラユニット３ひいては加圧ローラ１４，１５をそれぞれ上部及び下部パンチ３０及び３１の係合部域から前方に引張るためには、ネジ込みスピンドル４２はスピンドルヘッド４３を用いて反対方向に回転させられ、圧縮バネ４４は解放され、くさび３９はわずかだけストップリング４０から外へ移動させられ、かくして案内カラム１０をベースプレート１でのその固定されたテンション付加から解除させ、ネジ込みスピンドル４２を起動させ続けることによって右へと引っ張ることが可能となる。
【００２０】
図１は、左側ではベースプレート１の下でベースフレーム６に隣接して延びかつ右側では加圧ローラユニット３の後方に延びており、しかも全ての側面でハウジング８をとり囲んでいる１つの隔壁４８を示している。この隔壁４８は、建物の壁であってよく、多機能カラム５１を伴う図１中の隔壁４８の右側にある供給エリア及びベースプレート１の下にある供給エリア、及び回転子２と加圧ローラユニット３により形成されたプレスセルを伴うベースプレート１より上にあるクリーンルームエリアへとロータリープレスを分割することを可能にしている。
プレスセルのクリーンルームエリアは、ベースプレート１、図１の左側に示されている多機能カラム５１の壁４９、ヘッド部品５０及び隔壁４８によって供給エリアから分離されている。かくして、クリーンルームの外側でロータリープレスの下側及び後側にある供給ユニット及び機械的及び電気的駆動機構を作動させるため、クリーンルームエリアから独立して供給エリアを使用することができる。ロータリープレスへのエネルギーは上面から又は底面から直接多機能カラム内に供給できる。
【００２１】
【発明の効果】
以上のように本発明は、弾性マウントを用いてベースフレームによって支援されている駆動機構を伴う回転子を収容する強固な高い剛性とねじり強度をもつベースプレートを提供しており、しかも、ここでこれらの弾性マウントの剛性及びこの完全なプレスセルの質量は、この振動システムの固有周波数が、励起周波数である最低の回転速度で発生する最低のパンチ係合周波数よりも考えられる６つの自由度全てにおいて著しく低くなるような形で、互いに調和がとられ、その結果、完全なプレスセルは、プレス工程中、臨界を超過して励起される。
しかも、加圧ローラーから加圧ローラユニットに対し作用する動的力、及びモーメント及び回転子駆動機構の動的力、及びモーメントはかくして、ほぼ排他的に、弾性マウントを用いてベースフレーム上に取付けられている強固なベースプレートによって吸収される。
また、プレス工程からの動的力は、ベースプレート上に配置されていないロータリープレスのコンポーネントに対してはほとんど作用しない。かくして錠剤形成用プレスは低い振動及び騒音レベルで作動し、しかも強い圧縮力を伝達することができる。
【図面の簡単な説明】
【図１】ロータリー式錠剤製造用プレスの全体図を示す。
【図２】回転子駆動機構及び加圧ローラユニットを伴うロータリー式錠剤製造プレスの強固なベースプレートを通る垂直断面を示す。
【図３】回転子駆動機構を伴う強固なベースプレートの下面を示す。
【図４】加圧ローラユニットを通る垂直断面を示す。
【符号の説明】
１．ベースプレート
２．回転子
３．加圧ローラユニット
４．駆動モータ
５．弾性脚部
６．ベースフレーム
７．弾性マウント
８．ハウジング
９．小さい弾性マウント
１０．案内カラム
１１．軸受ブシュ
１２．車軸
１３．歯付きベルト車
１４．加圧ローラ、上部
１５．加圧ローラ、下部
１６．歯付きベルトピニオン
１７．歯付きベルト
１８．締付け用ディスク
１９．取付け用要素
２０．取付け用要素
２１．バッファ
２２．長手方向軸
２３．細長い穴
２４．上部加圧ローラマウント
２５．下部加圧ローラマウント
２６．内部空間
２７．上部調整用駆動機構
２８．下部調整用駆動機構
２９．加圧ローラ車軸
３０．上部パンチ
３１．下部パンチ
３２．歯車モータ
３３．駆動スピンドル
３４．スピンドルナット
３５．水平方向調整用駆動機構
３６．取付け用フランジ
３７．タイロッド
３８．突出部分
３９．くさび
４０．ストップリング
４１．ドーム形部品
４２．ネジ込みスピンドル
４３．スピンドルヘッド
４４．圧縮バネ
４５．先端部
４６．リングセグメント
４７．ボルト
４８．隔壁
４９．壁
５０．ヘッド部品
５１．多機能カラム
【図１】
0003820021.tif 000002
【図２】
0003820021.tif 000003
【図３】
0003820021.tif 000004
【図４】
0003820021.tif 000005